(57)【要約】【課題】ミシン縫いの際の布送り等に用いるのに適した布押さえ用具を提供すること。【解決手段】本発明の布押さえ用具Ａは、長手軸Ｏ１を有して延びる硬質のグリップ部１と、グリップ部１の長手軸方向一方ｘ１側に位置し、布を点で押さえるための第１布押さえ端部１００と、グリップ部１の長手軸方向他方ｘ２側に位置し、布を面で押さえるための第２布押さえ端部２００と、を備える。【選択図】図１
2015080563.tif 000002
【特許請求の範囲】
【請求項１】
長手軸を有して延びる硬質のグリップ部と、
上記グリップ部の上記長手軸方向一方側に位置し、布を点で押さえるための第１布押さえ端部と、
上記グリップ部の上記長手軸方向他方側に位置し、布を面で押さえるための第２布押さえ端部と、
を備える、布押さえ用具。
【請求項２】
上記第１布押さえ端部は、硬質の尖端によって形成されており、
上記第２布押さえ端部は、軟質の平坦な先端面によって形成されている、請求項１に記載の布押さえ用具。
【請求項３】
上記第１布押さえ端部は、上記グリップ部から次第に縮径しつつ、湾曲する中心軸をもって一体に延びる延出部の先端に形成されている、請求項２に記載の布押さえ用具。
【請求項４】
上記第２布押さえ端部は、上記長手軸と直交する平面に対して傾斜しており、
上記第２布押さえ端部の面積は、上記グリップ部の横断面の面積より小である、請求項３に記載の布押さえ用具。
【請求項５】
上記延出部の湾曲する中心軸と、上記第２布押さえ端部の法線とは、同一平面内に位置させられており、
上記第２布押さえ端部は、上記長手軸に対して上記延出部が位置する側を向く、請求項４に記載の布押さえ用具。
【請求項６】
上記グリップ部から上記長手軸方向他方側に一体に延び、上記グリップ部より小径の軸部と、
上記軸部を覆うように装着され、かつ外周面が上記グリップ部の外周面となだらかに連なり、上記長手軸方向他方端に上記第２布押さえ端部を有する、キャップと、を備える、請求項４に記載の布押さえ用具。
【請求項７】
上記キャップは、上記長手軸方向一方側の開口を通じて上記軸部が嵌入する穴部を有し、
上記軸部の上記長手軸方向他方端には、上記第２布押さえ端部と略平行な傾斜面が形成されており、
上記穴部の上記長手軸方向他方側には、上記傾斜面と面接触する底面が形成されている、請求項６に記載の布押さえ用具。
【請求項８】
上記グリップ部、上記延出部、および上記軸部は、硬質の第１の樹脂からなり、
上記キャップは、軟質の第２の樹脂からなる、請求項６に記載の布押さえ用具。
【請求項９】
上記第１の樹脂および上記第２の樹脂は、熱硬化性樹脂である、請求項８に記載の布押さえ用具。
【発明の詳細な説明】
【技術分野】
【０００１】
本発明は、たとえばミシン縫いの際の布送り等に用いるのに適した布押さえ用具に関する。
【背景技術】
【０００２】
ミシン縫いの作業時において、布送りのために使用される布押さえ用具として、いわゆる「目打ち」が知られている（たとえば特許文献１を参照）。特許文献１に記載された目打ちは、使用者に把持されるグリップ部と、このグリップ部の一端から延びる棒状の延出部とを備える。延出部は、たとえばステンレスなどの金属からなり、その先端が砲弾型に尖っている。上記構成の目打ちは、ミシン縫い作業時の布送りの他に、たとえば、縫い目をほどく作業や、手芸分野における細かな作業を行うのに用いられる。
【０００３】
ミシン縫い作業時に目打ち（布押さえ用具）を用いて布送りを行う場合、延出部の先端で布を押さえる。しかしながら、上記構成の布押さえ用具によれば、布送りの際に布を延出部の先端によって点で押さえることになるので、布に対して滑りやすく、布送りに支障をきたす虞があった。
【先行技術文献】
【特許文献】
【０００４】
【特許文献１】意匠登録第７７７８０１号公報
【発明の概要】
【発明が解決しようとする課題】
【０００５】
本発明は、このような事情のもとで考え出されたものであって、たとえばミシン縫いの際の布送り等に用いるのに適した布押さえ用具を提供することを課題としている。
【課題を解決するための手段】
【０００６】
上記の課題を解決するため、本発明では、次の技術的手段を講じている。
【０００７】
本発明によって提供される布押さえ用具は、長手軸を有して延びる硬質のグリップ部と、上記グリップ部の上記長手軸方向一方側に位置し、布を点で押さえるための第１布押さえ端部と、上記グリップ部の上記長手軸方向他方側に位置し、布を面で押さえるための第２布押さえ端部と、を備える。
【０００８】
好ましくは、上記第１布押さえ端部は、硬質の尖端によって形成されており、上記第２布押さえ端部は、軟質の平坦な先端面によって形成されている。
【０００９】
好ましくは、上記第１布押さえ端部は、上記グリップ部から次第に縮径しつつ、湾曲する中心軸をもって一体に延びる延出部の先端に形成されている。
【００１０】
好ましくは、上記第２布押さえ端部は、上記長手軸と直交する平面に対して傾斜しており、上記第２布押さえ端部の面積は、上記グリップ部の横断面の面積より小である。
【００１１】
好ましくは、上記延出部の湾曲する中心軸と、上記第２布押さえ端部の法線とは、同一平面内に位置させられており、上記第２布押さえ端部は、上記長手軸に対して上記延出部が位置する側を向く。
【００１２】
好ましくは、上記グリップ部から上記長手軸方向他方側に一体に延び、上記グリップ部より小径の軸部と、上記軸部を覆うように装着され、かつ外周面が上記グリップ部の外周面となだらかに連なり、上記長手軸方向他方端に上記第２布押さえ端部を有する、キャップと、を備える。
【００１３】
好ましくは、上記キャップは、上記長手軸方向一方側の開口を通じて上記軸部が嵌入する穴部を有し、上記軸部の上記長手軸方向他方端には、上記第２布押さえ端部と略平行な傾斜面が形成されており、上記穴部の上記長手軸方向他方側には、上記傾斜面と面接触する底面が形成されている。
【００１４】
好ましくは、上記グリップ部、上記延出部、および上記軸部は、硬質の第１の樹脂からなり、上記キャップは、軟質の第２の樹脂からなる。
【００１５】
好ましくは、上記第１の樹脂および上記第２の樹脂は、熱硬化性樹脂である。
【００１６】
本発明のその他の特徴および利点は、添付図面を参照して以下に行う詳細な説明によって、より明らかとなろう。
【図面の簡単な説明】
【００１７】
【図１】本発明に係る布押さえ用具の一実施形態を示す斜視図である。
【図２】図１に示す布押さえ用具の正面図である。
【図３】図１に示す布押さえ用具の底面図である。
【図４】図１に示す布押さえ用具の左側面図である。
【図５】図４のＶ−Ｖ線に沿う断面図である。
【図６】図２のＶＩ−ＶＩ線に沿う断面図である。
【図７】図５のＶＩＩ−ＶＩＩ線に沿う断面図である。
【図８】布押さえ用具の使用方法を説明するための斜視図である。
【図９】布押さえ用具の使用方法を説明するための斜視図である。
【図１０】布押さえ用具の使用方法を説明するための斜視図である。
【発明を実施するための形態】
【００１８】
以下、本発明の好ましい実施の形態について、図面を参照して具体的に説明する。
【００１９】
図１〜図７は、本発明に係る布押さえ用具の一実施形態を示している。図１〜図３に表れているように、本実施形態の布押さえ用具Ａは、長手軸Ｏ１を有して延びるグリップ部１と、第１布押さえ端部１００と、第２布押さえ端部２００と、を備える。第１布押さえ端部１００は、長手軸方向一方ｘ１側に位置しており、布を点で押さえるものである。第１布押さえ端部１００は、硬質の尖端によって形成されている。第２布押さえ端部２００は、長手軸方向他方ｘ２側に位置しており、布を面で押さえるものである。第２布押さえ端部２００は、軟質の平坦面によって形成されている。図２から理解されるように、第２布押さえ端部２００は、グリップ部１の長手軸Ｏ１と直交する平面に対して傾斜している。詳細は後述するが、第２布押さえ端部２００は、キャップ２１の先端に形成されている。
【００２０】
グリップ部１は、使用者に把持される部分であり、全体として横断面が円形状で長手軸方向に延びる丸棒状である。グリップ部１の長手軸方向両端付近は、中央から遠ざかるにつれて僅かに縮径している。グリップ部１は、硬質の熱硬化性樹脂からなる。
【００２１】
本実施形態において、グリップ部１の長手軸方向一方ｘ１端には、延出部１０が一体につながっている。延出部１０は、湾曲する中心軸Ｏ２をもち、グリップ部１から遠ざかるにつれて次第に縮径する。延出部１０は、グリップ部１と同一材質の硬質の熱硬化性樹脂からなる。そして、延出部１０の先端には、第１布押さえ端部１００が形成されている。
【００２２】
本実施形態において、図５に表れているように、グリップ部１の長手軸方向他方ｘ２端には、軸部２０が一体につながっている。軸部２０は、長手軸方向他方ｘ２側に延びている。図６に表れているように、軸部２０の横断面は、正六角形状（多角形状の一態様）とされている。図５に表れているように、軸部２０の基端側には、相対的に横断面の面積が小である小径軸部２０１が設けられている。軸部２０の先端には、当該軸部２０の横断面に対して傾斜する傾斜面２０ａが形成されている。
【００２３】
本実施形態において、グリップ部１、延出部１０、および軸部２０は、硬質の熱硬化性樹脂（第１の樹脂）により一体的に形成されている。硬質の熱硬化性樹脂としては、たとえばメラミン樹脂、ユリア樹脂などを挙げることができる。
【００２４】
図５に表れているように、グリップ部１の長手軸方向他方ｘ２側には、軸部２０を覆うようにキャップ２１が設けられている。キャップ２１は、長手軸方向に延びる穴部２１０を有する。図６に表れているように、穴部２１０の横断面は、正六角形状とされており、軸部２０の横断面と同一の多角形状である。穴部２１０の長手軸方向一方ｘ１側には、相対的に横断面の面積が小である小径穴部２１１が設けられている。穴部２１０の奥には、当該穴部２１０の横断面に対して傾斜する底面２１０ａが形成されている。キャップ２１の先端には、第２布押さえ端部２００が形成されている。
【００２５】
キャップ２１は、軟質の熱硬化性樹脂（第２の樹脂）からなる。キャップ２１を構成する軟質の熱硬化性樹脂としては、ゴム状の弾性を有する熱硬化性エラストマーが好適に用いられ、たとえばシリコーンゴム、ウレタンゴム、フッ素ゴムなどを挙げることができるが、特にこれらに限定されるものではない。
【００２６】
キャップ２１は、軸部２０に着脱可能に装着される。図５に表れているように、キャップ２１の装着時には、軸部２０は、キャップ２１の長手軸方向一方ｘ１側の開口２２０を通じて穴部２１０に嵌入しており、キャップ２１の外周面はグリップ部１の外周面となだらかに連なっている。キャップ２１は、先端（長手軸方向他方ｘ２）側に向かうほど横断面の面積が小となっており、先細り状である。そして、図４、図５等から理解されるように、キャップ２１の先端に位置する第２布押さえ端部２００の面積は、グリップ部１の横断面の面積より小である。
【００２７】
図５に表れているように、キャップ２１の装着時において、キャップ２１先端の第２布押さえ端部２００と軸部２０先端の傾斜面２０ａとは、略平行であり、傾斜面２０ａと穴部２１０の底面２１０ａとは、面接触している。また、図６に表れているように、軸部２０の外周面と穴部２１０とは面接触している。図７に表れているように、小径軸部２０１の外周面と小径穴部２１１とは面接触している。
【００２８】
図２、図４から理解されるように、キャップ２１の装着時において、延出部１０の湾曲する中心軸Ｏ２と、第２布押さえ端部２００の法線Ｎ１とは、同一平面内に位置する。また、第２布押さえ端部２００は、グリップ部１の長手軸Ｏ１に対して延出部１０が位置する側を向いている。
【００２９】
次に、上記構成の布押さえ用具Ａの使用方法および作用について、図８〜図１０を参照して説明する。
【００３０】
本実施形態の布押さえ用具Ａは、グリップ部１の長手軸方向の一方ｘ１および他方ｘ２に位置する、第１布押さえ端部１００および第２布押さえ端部２００を備える。第１布押さえ端部１００は、布を点で押さえるものであり、第２布押さえ端部２００は、布を面で押さえるものである。このような構成によれば、以下に述べるように、使用状況に応じて、第１布押さえ端部１００および第２布押さえ端部２００を適宜使い分けることができる。
【００３１】
布押さえ用具Ａは、たとえばミシン縫いの際の布送りに用いられる。布送りに用いる場合、使用者によってグリップ部１が把持され、図８に表れているように、布Ｃに第２布押さえ端部２００が押し付けられる（ミシンは図示略）。ここで、第２布押さえ端部２００は、平坦な先端面として形成されている。このため、布送り時に、第２布押さえ端部２００によって布Ｃを面で押さえることができる。したがって、布Ｃに対して第２布押さえ端部２００が滑り難く、使い勝手が良い。
【００３２】
第２布押さえ端部２００は、グリップ部１の長手軸Ｏ１と直交する平面に対して傾斜している。このような構成によれば、第２布押さえ端部２００により布Ｃを面で押さえるとき、グリップ部１は直立せずに傾いた姿勢をとる。したがって、使用者がグリップ部１を把持しやすく、使い勝手が良い。
【００３３】
キャップ２１は先細り状となっており、キャップ２１の先端に位置する第２布押さえ端部２００の面積は、グリップ部１の横断面の面積より小さい。このようにキャップ２１が先細り状であれば、グリップ部１を把持した状態においてキャップ２１を所望の位置に移動させ易く、使い勝手が良い。その一方、キャップ２１は軟質樹脂からなり、第２布押さえ端部２００は軟質な平坦面である。このため、布送り時には、布Ｃと第２布押さえ端部２００との摩擦抵抗が比較的大きく、第２布押さえ端部２００の面積が小さくても滑りを防止することができる。
【００３４】
キャップ２１は、当該キャップ２１の穴部２１０に軸部２０を嵌入することにより、軸部２０に装着されている。キャップ２１の装着時には、第２布押さえ端部２００と軸部２０先端の傾斜面２０ａとは略平行であり、傾斜面２０ａと穴部２１０の底面２１０ａとは面接触している。このような構成によれば、第２布押さえ端部２００による布Ｃへの押圧力は、キャップ２１の先端部分を介して軸部２０先端の傾斜面２０ａによって適切にバックアップされる。したがって、キャップ２１がゴム状弾性を有する軟質素材からなる場合でも、第２布押さえ端部２００を使用する際の作業性が低下することはない。
【００３５】
軸部２０の横断面と穴部２１０の横断面とは同一の多角形状であり、キャップ２１の装着状態において、軸部２０の外周面と穴部２１０とは面接触する。このような構成によれば、キャップ２１を装着する際、軸部２０に対するキャップ２１の周方向における位置決めが適切になされる。また、キャップ２１の装着状態において、キャップ２１の周方向への不当な回転が抑制される。さらに、キャップ２１の開口２２０寄りにおいて、相対的に横断面の面積が小である小径軸部２０１と小径穴部２１１とが互いに嵌合している。このような構成によれば、キャップ２１が軸部２０から不当に抜け出すのを防止することができる。
【００３６】
本実施形態の布押さえ用具Ａは、布を点で押さえるための第１布押さえ端部１００を備える。これにより、図９に表れているように、たとえば布Ｃの端を折り返し、その折り返し部分Ｃ１を第１布押さえ端部１００で押さえることができる。たとえば布Ｃを折り返してアイロン掛けを行う際（アイロンは図示略）、当該折り返し部分Ｃ１が小さい場合には、指で折り返し部分Ｃ１を押さえる代わりに、図９に示すように、折り返し部分Ｃ１を第１布押さえ端部１００で押さえる。ここで、第１布押さえ端部１００は、グリップ部１から次第に縮径する延出部１０の先端において、硬質の尖端として形成されている。このため、押さえる対象物が小さい場合でも、第１布押さえ端部１００により適切に押さえ付けることができる。
【００３７】
また、先端に第１布押さえ端部１００を有する延出部１０は、熱硬化性樹脂からなる。このような構成によれば、延出部１０（第１布押さえ端部１００）は耐熱性に優れるため、たとえばアイロン掛けを行う際にアイロンかけ面等の高温部が延出部１０（第１布押さえ端部１００）に接触しても、アイロンの熱により延出部１０（第１布押さえ端部１００）が変形するとった不具合を回避することができる。
【００３８】
延出部１０は、グリップ部１から湾曲する中心軸Ｏ２をもって一体に延びている。このような構成によれば、延出部１０先端の第１布押さえ端部１００を鉛直下方に向けて押さえると、グリップ部１は直立せずに傾いた姿勢をとる。したがって、使用者がグリップ部１を把持しやすく、使い勝手が良い。さらに、図９に示されたグリップ部１が傾いた状態で折り返し部分Ｃ１にアイロン掛けを行う場合、同図から理解されるように、グリップ部１は、折り返し部分Ｃ１（アイロンが当たる部分）から遠ざかる。これにより、アイロンが使用者の手に接触するといった不都合をより確実に回避することができ、使い勝手が良い。
【００３９】
図１０は、布Ｃの折り返し部分Ｃ２を第２布押さえ端部２００によって押さえ付ける態様を示している。折り返し部分Ｃ２のサイズが大きい場合、第２布押さえ端部２００によって折り返し部分Ｃ２を面で押さえることにより、より確実に折り返し部分Ｃ２を押さえ付けることができる。上述のように、第２布押さえ端部２００は、グリップ部１の長手軸Ｏ１と直交する平面に対して傾斜している。これにより、第２布押さえ端部２００により折り返し部分Ｃ２を面で押さえると、グリップ部１は直立せずに傾いた姿勢をとる。したがって、使用者がグリップ部１を把持しやすく、使い勝手が良い。さらに、図１０に示されたグリップ部１が傾いた状態で折り返し部分Ｃ２にアイロン掛けを行う場合、同図から理解されるように、グリップ部１は、折り返し部分Ｃ２（アイロンが当たる部分）から遠ざかる。これにより、アイロンが使用者の手に接触するといった不都合をより確実に回避することができ、使い勝手が良い。
【００４０】
また、先端に第２布押さえ端部２００を有するキャップ２１は、熱硬化性樹脂からなる。このため、図１０に示す状態で折り返し部分Ｃ２にアイロン掛けを行う場合、アイロンかけ面等の高温部がキャップ２１（第２布押さえ端部２００）に接触しても、アイロンの熱によりキャップ２１（第２布押さえ端部２００）が変形するとった不具合を回避することができる。
【００４１】
図２、図４を参照して上述したように、延出部１０の湾曲する中心軸Ｏ２と、第２布押さえ端部２００の法線Ｎ１とは、同一平面内に位置する。また、第２布押さえ端部２００は、グリップ部１の長手軸Ｏ１に対して延出部１０が位置する側を向いている。このような構成によれば、図８、図１０等に示したように、第２布押さえ端部２００を鉛直下方に向けて布Ｃ（折り返し部分Ｃ２）を押さえる際、グリップ部１は長手軸方向一方ｘ１側に向かって斜め上方に延び、その先につながる延出部１０は、垂直平面内にて湾曲しながら下方に向きを変える。したがって、第２布押さえ端部２００を使用する際、尖端状の第１布押さえ端部１００は下方に向いており、布押さえ用具Ａの使用時の安全面においても好ましい。
【００４２】
以上、本発明の具体的な実施形態を説明したが、本発明はこれに限定されるものではなく、発明の思想から逸脱しない範囲内で種々な変更が可能である。本発明に係る布押さえ用具の各部の具体的な構成は、上記実施形態に限定されるものではない。
【符号の説明】
【００４３】
Ａ        布押さえ用具
Ｃ        布
Ｃ１，Ｃ２    折り返し部分
Ｎ１      法線
Ｏ１      長手軸
Ｏ２      中心軸
ｘ１      長手軸方向一方
ｘ２      長手軸方向他方
１        グリップ部
１０      延出部
１００    第１布押さえ端部
２０      軸部
２０ａ    傾斜面
２０１    小径軸部
２１      キャップ
２１０    穴部
２１０ａ  底面
２１１    小径穴部
２２０    開口
２００    第２布押さえ端部
【図１】
2015080563.tif 000003
【図２】
2015080563.tif 000004
【図３】
2015080563.tif 000005
【図４】
2015080563.tif 000006
【図５】
2015080563.tif 000007
【図６】
2015080563.tif 000008
【図７】
2015080563.tif 000009
【図８】
2015080563.tif 000010
【図９】
2015080563.tif 000011
【図１０】
2015080563.tif 000012